(57)【要約】【課題】  診断の効率を向上させるために、カット画像およびＸ線画像を区別できるようにすることが可能なＸ線診断システムを提供すること。【解決手段】  連続撮影して複数フレームのＸ線画像を取得する撮影部（１）と、取得された複数フレームのＸ線画像を撮影順にまとめカット画像とし、カット画像を用いて診断するためのＸ線診断システムであって、入力手段（４）と、連続撮影が行われている間に、入力手段からまとめられたカット画像についての必要または不要の入力があった場合に、カット画像に必要または不要であることをそれぞれ示す必要カットタグまたは不要カットタグを付加するタグ付加手段（２２）と、を備える。【選択図】      図１
2006167087.tif 000002
【特許請求の範囲】
【請求項１】
連続撮影して複数フレームのＸ線画像を取得する撮影手段と、前記取得された複数フレームのＸ線画像を撮影順にまとめてカット画像とし、前記カット画像を用いて診断するためのＸ線診断システムであって、
入力手段と、
前記連続撮影が行われている間に、前記入力手段から前記まとめられたカット画像についての必要または不要の入力があった場合に、前記カット画像に必要または不要であることをそれぞれ示す必要カットタグまたは不要カットタグを付加するタグ付加手段と、
を備えることを特徴とするＸ線診断システム。
【請求項２】
前記タグ付加手段により付加された前記必要カットタグまたは不要カットタグに基づいて、前記カット画像を別々に分けて保存する記憶手段と、
前記記憶手段に別々に分けて保存された前記カット画像を区別して、前記カット画像のリスト情報を生成するリスト情報生成手段と、
を更に備える請求項１に記載のＸ線診断システム。
【請求項３】
前記タグ付加手段は、さらに、前記連続撮影が行われている間に、前記入力手段から複数のＸ線画像のうちの注視するべき範囲を指定する入力があった場合に、前記入力された範囲に対応するフレームに前記注視するべきＸ線画像であることを示す注視フレームタグを付加する、
請求項１または請求項２に記載のＸ線診断システム。
【請求項４】
前記注視フレームタグが付された範囲のフレームに基づくＸ線画像を、前記注視フレームタグが付されていないものより遅い表示速度で再生する再生手段を、
更に備える請求項３に記載のＸ線診断システム。
【請求項５】
前記再生は、前記カット画像に前記必要カットタグが付加されている場合、または、前記カット画像に前記不要カットタグが付加されていない場合に行う、
請求項４に記載のＸ線診断システム。
【請求項６】
前記タグ付加手段は、さらに、前記注視フレームタグが付された範囲のフレームに基づくＸ線画像が、前記注視フレームタグが付されていないものより遅い表示速度で再生されている間に、前記表示されているＸ線画像に対して出力処理を行う入力があった場合に、前記表示されているＸ線画像に対応するフレームに前記出力処理を行うべきＸ線画像であることを示す処理フレームタグを付加する、
請求項４または請求項５に記載のＸ線診断システム。
【請求項７】
前記入力手段から、前記出力処理の実行を指示する入力があった場合に、前記前記カット画像から前記処理フレームタグが付加されたフレームを抽出する抽出手段と、
前記抽出されたフレームに対して前記出力処理を行う処理手段と、
を更に備える請求項６に記載のＸ線診断システム。
【発明の詳細な説明】
【技術分野】
【０００１】
本発明は、医療診断を行う際に用いられるＸ線診断システムに関し、特に、連続撮影することにより得られる複数フレームのＸ線画像を撮影順にまとめたカット画像を用いて診断するためのものに関する。
【背景技術】
【０００２】
従来、被写体を通過したＸ線をＸ線ＴＶカメラやフラットパネルディテクタを用いて画像信号とすることにより得られるＸ線画像を、Ｘ線ＴＶカメラ等で連続撮影を行うことにより連続的に取得し表示することで動画として表示するＸ線診断システムがある。例えば、良好なＸ線画像を連続して得られるように各画像信号から残像の影響を排除するように補正を行うシステムがある（例えば、特許文献１参照）。このようなＸ線診断システムを用いれば、例えば、血管造影等を行うことにより、動画で血流の様子を観察することができるので、より適切な医療診断を行うことができる。
【０００３】
また、上述のようにして得られた複数のＸ線画像は、その連続撮影の撮影時間内に得られた複数フレームのＸ線画像を撮影順にまとめた集合体をカット画像として記憶手段に保存される。そして、保存されたカット画像は再生され、モニタなどに表示されて読影され診断に用いられる。
【０００４】
また、カット画像の中のフレームを選択して、印刷処理や記録媒体に転送記録するなどの出力処理が行われ更なる診断等に用いられる。
【０００５】
【特許文献１】特開２０００−１７５８２９号公報
【発明の開示】
【発明が解決しようとする課題】
【０００６】
しかしながら、得られたカット画像が、例えば造影剤の状態や撮影角度などが不適当で診断に用いられないようなものであっても、患者のＸ線の被爆情報を知るために保存する必要がある。
【０００７】
そのために、カット画像を再生して診断する場合に、読影医は、保存されているカット画像のリストを表示して検索し再生するのであるが、不適当なカット画像についてもリスト上に表示されてしまうので、検索時間に無駄を生じ、診断の効率を低下させていた。
【０００８】
また、診断に必要な画像を確実に撮影するために、その前から撮影を開始して、必要な画像が得られた後に多少の余裕をもって撮影を終了するので、診断用に保存されたカット画像であっても、その中には必要なフレームの前後に不要なフレームが存在している場合が多い。また、カット画像の表示は、初めのフレームから終わりのフレームまで順次表示させるので、所望のフレームを表示させるために不要なフレームも表示させることになり、時間の無駄が生じ診断の効率を低下させていた。
【０００９】
また、フレームに対する印刷や媒体への転送などの処理は、初めのフレームから順次表示させ、所望のフレームが表示されたら処理を行うことになる。また、フレーム一つ一つに処理のための作業を行う必要があるため、時間の無駄が生じ診断の効率を低下させていた。
【００１０】
本発明は、上記事情に鑑みてなされたものであり、その目的とするところは、診断の効率を向上させるために、カット画像およびＸ線画像を区別できるようにすることが可能なＸ線診断システムを提供することにある。
【課題を解決するための手段】
【００１１】
上記課題を解決するために請求項１記載の発明は、連続撮影して複数フレームのＸ線画像を取得する撮影手段と、前記取得された複数フレームのＸ線画像を撮影順にまとめてカット画像とし、前記カット画像を用いて診断するためのＸ線診断システムであって、入力手段と、前記連続撮影が行われている間に、前記入力手段から前記まとめられたカット画像についての必要または不要の入力があった場合に、前記カット画像に必要または不要であることをそれぞれ示す必要カットタグまたは不要カットタグを付加するタグ付加手段とを備えることを特徴としている。また、請求項２記載の発明は、前記タグ付加手段により付加された前記必要カットタグまたは不要カットタグに基づいて、前記カット画像を別々に分けて保存する記憶手段と、前記記憶手段に別々に分けて保存された前記カット画像を区別して、前記カット画像のリスト情報を生成するリスト情報生成手段とを更に備えることを特徴としている。また、請求項３記載の発明は、前記タグ付加手段は、さらに、前記連続撮影が行われている間に、前記入力手段から複数のＸ線画像のうちの注視するべき範囲を指定する入力があった場合に、前記入力された範囲に対応するフレームに前記注視するべきＸ線画像であることを示す注視フレームタグを付加することを特徴としている。また、請求項４記載の発明は、前記注視フレームタグが付された範囲のフレームに基づくＸ線画像を、前記注視フレームタグが付されていないものより遅い表示速度で再生する再生手段を更に備えることを特徴としている。また、請求項５記載の発明は、前記再生は、前記カット画像に前記必要カットタグが付加されている場合、または、前記カット画像に前記不要カットタグが付加されていない場合に行うことを特徴としている。また、請求項６記載の発明は、前記タグ付加手段は、さらに、前記注視フレームタグが付された範囲のフレームに基づくＸ線画像が、前記注視フレームタグが付されていないものより遅い表示速度で再生されている間に、前記表示されているＸ線画像に対して出力処理を行う入力があった場合に、前記表示されているＸ線画像に対応するフレームに前記出力処理を行うべきＸ線画像であることを示す処理フレームタグを付加することを特徴としている。また、請求項７記載の発明は、前記入力手段から、前記出力処理の実行を指示する入力があった場合に、前記前記カット画像から前記処理フレームタグが付加されたフレームを抽出する抽出手段と、前記抽出されたフレームに対して前記出力処理を行う処理手段とを更に備えることを特徴としている。
【発明の効果】
【００１２】
請求項１記載のＸ線診断システムによれば、カット画像を得るために連続撮影を行っている間に、そのカット画像が必要または不要であることを示すタグを付加することができ、この付加されるタグにより、カット画像の必要・不要の区別が可能となる。請求項２記載のＸ線診断システムによれば、カット画像について必要・不要の区別をして、カット画像のリストを生成するので検索が容易となり診断の効率を向上させることができる。請求項３記載のＸ線診断システムによれば、カット画像を得るために連続撮影を行っている間に、取得された複数のＸ線画像のうち、注視するべき範囲のＸ線画像に対応するフレームに注視フレームタグを付加することができ、この付加された注視フレームタグにより、注視するべきＸ線画像か否か区別することが可能となる。請求項４記載のＸ線診断システムによれば、注視するべき範囲のフレームに、注視フレームタグが付加されるので、注視フレームタグが付された範囲のフレームに基づくＸ線画像を、注視フレームタグが付されていないものより遅い表示速度で再生することができる。それにより、その範囲のＸ線画像を注視することができる。請求項５記載のＸ線診断システムによれば、請求項４に記載の再生を必要とされたカット画像について行うので効率がよい。請求項６記載のＸ線診断システムによれば、注視フレームタグが付された範囲のフレームに基づくＸ線画像を遅い表示速度で表示されている間に、出力処理を行うべきＸ線画像であることを示す処理フレームタグを付加することができ、この付加された処理フレームタグにより、出力処理を行うべきＸ線画像か否か区別することが可能となる。請求項７記載のＸ線診断システムによれば、出力処理を行うべきフレームを、処理フレームタグにより判別して、処理フレームタグが付されたフレームに基づくＸ線画像に対し出力処理を容易に行うことができる。
【発明を実施するための最良の形態】
【００１３】
以下、本発明に係る一実施の形態ついて図面を参照しつつ説明する。本実施の形態として、Ｘ線診断システムを例に説明をするが、本実施の形態のＸ線診断システムは、例えばＸ線ＴＶカメラから画像信号を取り出すことにより得られるＸ線画像（以下、画像と表示することもある）のフレームを、連続撮影することにより複数取得し、その連続撮影の撮影時間内に取得した複数のフレームを撮影順にまとめた集合体をカット画像として保存し、そのカット画像を用いて診断を行うためのものでる。
【００１４】
（構成）
図１は、本発明に係る一実施の形態としてのＸ線診断システムの構成を示す機能ブロック図である。
【００１５】
本Ｘ線診断システムは、Ｘ線を照射し連続撮影してＸ線画像のフレームを出力する撮影部１と、撮影部１から出力されるフレームからカット画像の生成や、本発明に係る動作態様等においてシステム各部の制御を行う制御部２と、制御部２で生成されるカット画像などの各種データを保存する記憶部３と、後述の撮影の指示、タグの付加を指示、処理の実行を指示などの入力を行うための入力部４と、カット画像を再生してＸ線画像の表示等を行うための表示手段５と、各種処理（後述）を行う処理部６とを含んで構成されている。
【００１６】
撮影部１は、Ｘ線管１２、イメージングインテンシファイア１３（図では、Ｉ．Ｉ．と表示）、Ｘ線ＴＶカメラ１１を含んで構成され、Ｘ線管１２は例えば１秒間に複数回のＸ線の照射を行い、照射される各々のＸ線は図示しない被写体を通過した後イメージングインテンシファイア１３で可視像に変換される。この後、可視像は図示しない光学系を通してＸ線ＴＶカメラ１１で画像信号である電気信号に変換される。このようにして、撮影時間内に連続的に行われるＸ線照射に対するＸ線の照射ごとの画像信号をフレームとして出力する。
【００１７】
入力部４は、本発明の入力手段を構成するもので、キーボード等の入力デバイスや、マウス・トラックボール等のポインティングデバイス、及び、図３に示すパネル４１などのオペレータが各種の入力操作を行うためのデバイスから構成される。
【００１８】
パネル４１は、図３に示すように、撮影部１での撮影を指示するための撮影ボタン４２と、Ｘ線画像を区別するための入力を行うもので、それぞれタグの付加を指示するものである、不要カットボタン４３、注視フレームボタン４４、処理フレームボタン４５、及び、要フレームボタン４６を含んで構成される。
【００１９】
撮影ボタン４２は、撮影部１での撮影の実行を指示するためのもので、この撮影ボタン４２を押下している間、制御部２は連続撮影するように撮影部１を制御する。つまり、撮影ボタン４２の押下から解除までの間が撮影時間となる。
【００２０】
不要カットボタン４３は、オペレータが、撮影に失敗したと判断した場合等に撮影中（撮影ボタン４２を押下している間）に押下することで、取得したＸ線画像つまりそのカット画像が不要であることを示す不要カットタグを付加するためのものである。また、以下の説明で、不要カットタグを付加しないまたは付加することで必要なカット画像と不要なカット画像を区別するが、言うまでもないが、不要カットボタン４３に代えて必要カットボタンを設け、オペレータが、撮影に成功したと判断した場合等に撮影中（撮影ボタン４２を押下している間）に押下することで、取得したＸ線画像つまりそのカット画像が必要であることを示す必要カットタグを付加するようにして、必要カットタグを付加するまたは付加しないことで必要なカット画像と不要なカット画像を区別するようにすることも可能である。
【００２１】
注視フレームボタン４４は、オペレータが、撮影中に表示手段５に表示されるＸ線画像が注視するべきものであると判断した場合等に押下することで、カット画像を構成するフレームの内の注視するべき範囲のＸ線画像のフレームに、注視するべきフレームを示す注視フレームタグを付加するためのものである。注視フレームタグの付加の方法としては、初めに押下したときに表示されているＸ線画像から押下を解除したときに表示されているＸ線画像までに対応するフレームを注視フレームとしタグを付加するようにしてもよいし、押下したときに表示されているＸ線画像に対応するフレームの前後の複数フレームを注視フレームとしタグを付加するようにしてもよい。
【００２２】
処理フレームボタン４５は、カット画像のループ再生中（ループ再生については後述）にオペレータが、表示手段５に表示されるＸ線画像を各種処理の対象とするべきものであると判断した場合等に押下することで、その表示されているＸ線画像に対応するフレームを処理の対象とし、そのフレームに処理の対象とするべきフレームを示す処理フレームタグを付加するためのものである。また、処理フレームタグは注視フレームタグと同様な操作で付加するようにすればよい。
【００２３】
不要フレームボタン４６は、カット画像のループ再生中にオペレータが、表示手段５に表示されるＸ線画像を不要であると判断した場合等に押下することで、そのＸ線画像に対応するフレームに不要なフレームを示す不要フレームタグを付加するためのものである。また、不要フレームタグは注視フレームタグと同様な操作で付加するようにすればよい。
【００２４】
制御部２は、ＣＰＵ等の演算制御装置によって構成され、ＲＯＭやハードディスクドライブ等のプログラム格納部（図示省略）に格納されたコンピュータプログラムを実行することによりシステム各部の制御を行う。
【００２５】
入力受付手段２３は、入力部４からの各種指示の入力を受け付け、指示信号として各部に送る。
【００２６】
タグ付加手段２２は、撮影部１での撮影中に、入力受付手段２３からの指示信号を受けて、再生手段２４を介して表示手段５に表示させるとともに、表示中のフレームまたは表示中のフレームを含むカット画像に注視フレームタグまたは不要カットタグを付加する。また、後述のループ再生中の処理フレームタグを対象となるフレームに付加する。
【００２７】
管理手段２１は、撮影時間内に撮影部１から連続的に順次出力されるフレームを撮影順に一つにまとめ、さらに、付帯情報を付加してカット画像を生成するカット画像生成手段としての機能を備える。また、この付帯情報にタグは付加されている。
【００２８】
ここで、カット画像の構成について図２を用いて説明する。図２はカット画像の構成の一例を示す図である。カット画像は、付帯情報が書き込まれた付帯情報部とフレームが書き込まれたフレーム部からなる。さらに、付帯情報について説明する。まず、付帯情報には、「シリーズ」、「検査日」、「検査時刻」、「患者ＩＤ」、「患者名」、「撮影時刻」、「カット情報」、及び、「フレーム情報」などがある。「シリーズ」は、ある患者の一連の検査を示すものであり、例えばＮｏ.等で区別する。また、「カット情報」、「フレーム情報」はタグの付加を示すものであり、不要カットタグが付加された場合には、「カット情報」に「不要」と書き込まれ、不要カットタグが付加されない場合には、「カット情報」に「要」と書き込まれている。また、注視フレームタグが付加された場合には、「フレーム情報」に示される対象の範囲のフレームに「注視」と書き込む。また、処理フレームタグ及び不要フレームタグが付加された場合も同様に対象のフレームに「処理」、「不要」などと書き込まれる。
【００２９】
また、管理手段２１は、カット画像が不要なカット画像か必要なカット画像かを不要カットタグの有無で判断する判断手段としての機能を有し、不要なカット画像である場合には記憶部３の不要カット格納シリーズに保存させ、必要なカット画像である場合には再生手段２４へ送り、再生手段２４でループ再生が行われるとともに、タグ（この場合は、処理フレームタグまたは不要フレームタグ）の付加等がなされたら、記憶部３の通常シリーズに保存させる。
【００３０】
また、管理手段２１は、入力受付手段２３からの指示を受けて、記憶部３に保存されているカット画像を必要なカット画像及び不要なカット画像を区別して一覧表示するためのカット画像リスト情報を生成するリスト情報生成手段としての機能を有する。また、生成されたカット画像リスト情報は、表示手段５で表示される。
【００３１】
また、管理手段２１は、入力受付手段２３からの指示を受けてフレームに対して所定の処理を行う際に、対象のカット画像をフレーム抽出手段２５に送る。
【００３２】
再生手段２４は、撮影中のＸ線画像をタグ付加手段２２を介して受けて、表示手段５で表示する。また、管理手段２１で必要なカットであると判断されたカット画像を受けて、表示手段５で表示させカット画像を再生する。また、表示手段５で再生するとともに、再生中のフレームをタグ付加手段２２に送る。このとき、タグ付加手段２２では、入力受付手段２３からの指示信号を受けてタグ（この場合は、処理フレームタグまたは不要フレームタグ）の付加を表示手段５に表示中のＸ線画像のフレームに行う。
【００３３】
また、この再生の時には、一連の注視フレームについては、他のフレームの表示速度に比べゆっくりした表示速度で表示させる。このゆっくりした表示速度で表示させる再生を、ループ再生という。また、表示速度とは、１フレームの表示時間と言い換えることができ、表示速度が速いとは、１フレームの表示時間が短いということで、表示速度が遅いとは、１フレームの表示時間が長いということになる。また、注視フレームがある場合には、注視フレームだけをループ再生するようにしてもよい。また、このループ再生の表示速度は、あらかじめ決められた速度や、入力手段を用いた入力に基づいて決定するようにしてもよい。
【００３４】
フレーム抽出手段２５は、管理手段２１からのカット画像を受けて、カット画像を検索して処理対象のフレームを抽出する本発明の抽出手段としての機能を有する。抽出されたフレームは、処理として、表示手段５での表示（出力）や、処理部６での各種出力処理がなされる。
【００３５】
記憶部３は、ハードディスクドライブやイメージメモリ等の記憶装置によって構成され、特に、カット画像を保存するために用いられ、不要なカット画像を保存するための不要カット格納シリーズ３１と、必要なカット画像すなわち不要カットタグ付されていないカット画像を保存する通常シリーズ３２を含んでいる。
【００３６】
なお、記憶部３に対するカット画像等の各種データの記録処理及び読み出し処理等は、制御部２の管理手段２１によって実行される。
【００３７】
表示手段５は、ＬＣＤやＣＲＴなど、通常のモニタ装置により構成される。表示手段５は、カット画像の再生によるＸ線画像や管理手段２１で生成されるカット画像リスト情報に基づくリストなどを表示させる。
【００３８】
処理部６は、印刷処理部６１、メディア転送処理部６２及び送信処理部６３を含んで構成され出力処理を行う。具体的には、フレーム抽出手段２５で抽出された対象となるフレームに対して印刷処理、メディアへの書き込み処理、また、図示しないネットワークへのフレームの送信処理を行う。
【００３９】
（Ｘ線診断システムの動作態様）
以下、本実施形態のＸ線診断システムの動作態様の一例について説明する。
【００４０】
まず、図４を用いて説明する。図４に示すフローチャートは、Ｘ線診断システムの動作の一例を表すもので、本システムにおける画像撮影／基本タグ付加処理の手順について示すフローチャートである。
【００４１】
図４に示すように、オペレータが図３に示す撮影ボタン４２を押下すると、入力受付手段２３はこの入力を受け付けて、撮影部１に対して撮影開始の指示を送る。撮影部１は、この指示を受けて、撮影を開始する（ステップＳ１０１、以下、省略してＳ１０１と表示する。他のステップも同様に省略して表示する。）。撮影部１では、Ｘ線管１２で例えば１秒間に複数回で連続的にＸ線の照射を行い、イメージングインテンシファイア１３でＸ線の照射ごとに可視像に変換し、それぞれの可視像をＸ線ＴＶカメラ１１で画像信号に変換しフレームとして出力する。この撮影は、オペレータが撮影ボタン４２の押下を解除するまで行われる。
【００４２】
再生手段２４は、Ｘ線ＴＶカメラ１１から順次出力されるフレームをタグ付加手段２２を介して受けてフレームに基づいてＸ線画像を表示手段５に順次表示する。また、管理手段２１では、フレームを撮影順に一つにまとめ、さらに、付帯情報を付加してカット画像とする。一方、オペレータは、表示手段５に表示されるＸ線画像を見ながら、例えば、造影剤の状態や撮影角度などが不適当で撮影に失敗したと判断した場合に不要カットボタン４３を押下する。或いは、表示手段５に表示されているＸ線画像が注視するべきものであると判断した場合に注視フレームボタン４４押下する。このように不要カットボタン４３または注視フレームボタン４４が押下されると、入力受付手段２３は、この入力を受け付けて（Ｓ１０２、有り）、不要カットボタン４３の入力であれば（Ｓ１０３、不要カット）、不要カットタグの付加の指示を行い、タグ付加手段２２はその指示を受け付けて付帯情報に不要カットタグの付加を行い（Ｓ１０４）、また、注視フレームボタン４４の入力であれば（Ｓ１０３、注視フレーム）、注視フレームタグの付加の指示を行い、タグ付加手段２２はその指示を受け付けて付帯情報に対象の範囲のフレームについて注視フレームタグの付加を行う（Ｓ１０５）。また、注視フレームタグの付加は上述したように、初めに注視フレームボタン４４を押下したときに表示されているＸ線画像に対応するフレームから次に押下したときに表示されているＸ線画像に対応するフレームまでを注視フレームとしタグを付加するようにしてもよいし、押下したときに表示されているＸ線画像に対応するフレームの前後の複数フレームを注視フレームとしタグを付加するようにしてもよい。
【００４３】
次に、オペレータが撮影ボタン４２の押下を解除すると（Ｓ１０６、Ｙ）、管理手段２１は、生成したカット画像に不要カットタグが付加されている場合には不要カットと判断し（Ｓ１０８、有り）、カット画像を記憶部６の不要カット格納シリーズに保存する（Ｓ１０９）。
【００４４】
一方、不要カットタグが付加されていない場合には必要カットと判断し（Ｓ１０８、なし）、カット画像を再生手段２４に送り、再生手段２４は、管理部２１で必要なカットであると判断されたカット画像を受け、カット画像を検索して、注視フレームタグが付加されていない場合には（Ｓ１１０、なし）、通常の表示速度で再生を行い表示手段５に各フレームに基づくＸ線画像を順次表示させ（Ｓ１１１）、再生が終了したらカット画像を記憶部６の通常シリーズに保存する（Ｓ１１２）。
【００４５】
一方、再生手段２４は、管理部２１で必要なカットであると判断されたカット画像を受け、カット画像を検索して、注視フレームタグが付加されている場合には（Ｓ１１０、有り）、ループ再生／処理タグ付加処理へ遷移する。
【００４６】
図５に示すフローチャートは、Ｘ線診断システムの動作の一例を表すもので、本システムにおけるループ再生／処理タグ付加処理の手順について示すフローチャートである。
【００４７】
図５に示すように、再生手段２４は、注視フレームを抽出し、注視フレーム以外は通常の表示速度で再生し、抽出した注視フレームについては、通常の表示速度よりゆっくりした表示速度で再生するループ再生を行い（Ｓ２０１）、表示手段５に各フレームに基づくＸ線画像を順次表示させる。同時に、各フレームをタグ付加手段２２に送る。
【００４８】
オペレータは、表示手段５に表示されるＸ線画像を見ながら、表示される各Ｘ線画像について、各種処理の対象とするべきものであるか否か、不要なＸ線画像か否かの判断を行い、その旨をパネル４１を用いて入力する。例えば、表示されているＸ線画像が各種処理の対象とするべきものであると判断した場合に処理フレームボタン４５を押下する。また、表示されているＸ線画像が不要であると判断した場合に不要フレームボタン４６を押下する。このように処理フレームボタン４５または不要フレームボタン４６が押下されると、入力受付手段２３はこの入力を受け付けて（Ｓ２０２、有り）、処理フレームボタン４５の入力であれば（Ｓ２０３、処理フレーム）、処理フレームタグの付加の指示を行い、タグ付加手段２２は、その指示を受けて付帯情報に対象のフレームについて処理フレームタグの付加を行う（Ｓ２０５）。また、不要フレームボタン４６の入力であれば（Ｓ２０３、不要フレーム）、不要フレームタグの付加の指示を行い、タグ付加手段２２は、その指示を受け付けて付帯情報に対象のフレームについて不要フレームタグの付加を行う（Ｓ２０４）。
【００４９】
そして、再生が終了すると（Ｓ２０６、Ｙ）、管理手段２１は、カット画像を記憶部６の通常シリーズに保存する（Ｓ２０７）。また、保存する際にカット画像に不要フレームタグが付加されていれば、カット画像を検索して不要フレームを削除して保存する。したがって、管理手段２１は、不要フレームを削除する削除手段としての機能を有する。また、付加された処理フレームタグを用いた各種処理手順については、後述するものとする。
【００５０】
また、注視フレームタグが付加されている場合には、注視フレーム以外は通常の速度で表示し、抽出した注視フレームについてはループ再生を行うとして説明したが、注視フレーム以外は再生せず、注視フレームだけをループ再生するようにしてもよい。
【００５１】
また、上記再生は、撮影後保存前に行う場合について説明したものであるが、保存された後に再生を行う場合に、注視フレームについてループ再生を行うようにすることもできる。
【００５２】
上述のように、不要なカット画像と必要なカット画像を区別して保存することにより、例えば、記憶部３に保存されているカット画像を一覧表示する際に、検索を容易にするように、例えば、管理手段２１は、通常シリーズに保存されている必要なカット画像のみを抽出してカット画像リストとして生成し、表示手段５に表示するようにしたり、必要なカット画像とともに不要なカット画像を不要であることを視認可能にしてカット画像リストを生成し表示手段５に表示するようにすることができる。また、不要なカット画像をリストに表示させるか否か選択可能にすることもできる。図６には、カット画像リストの表示の一例を示し、チェックボックス４２により不要なカット画像をリストに表示させるか否か選択可能にした一例である。また、図６（ａ）には必要なカット画像のみをリストに表示した例を、図６（ｂ）には必要なカット画像とともに不要なカット画像をリストに不要であることを視認可能に表示した例を示す。
【００５３】
このようなカット画像リストを用いれば、読影医が、カット画像リストを表示させて、リストから選択して再生表示させる際に、不要なカット画像を再生させないで済む。
【００５４】
また、カット画像を再生表示して、さらに、処理フレームタグや不要フレームタグを付加する作業を行う際に、注視フレームを表示するときにゆっくり表示するので、画像を見過ごすことがなく、また、一つのＸ線画像ごとに処理フレームボタン４５または不要フレームボタン４６の操作を容易に行うことができる。
【００５５】
次に、本実施形態のＸ線診断システムの動作態様の別な一例について、図７を用いて説明する。図７に示すフローチャートは、Ｘ線診断システムの動作の一例を表すもので、本システムにおける所定の処理を実行する手順について示すフローチャートである。また、以下の説明では、所定の処理として印刷処理を例にして説明する。
【００５６】
図７に示すように、オペレータが、処理フレームに対し、印刷処理を実行する入力を行う（Ｓ３０１）。具体的には、リストに表示されているカット画像を入力部４の例えばマウスでクリックすることにより選択すると同時に印刷処理、メディア転送処理、送信処理などを含むメニューを選択可能に表示させて、表示されたメニューから所望の処理が選択された場合に、選択されたカット画像に含まれる処理フレームについて選択された処理を実行するようにしておく。例えば、制御部２が実行するコンピュータプログラムに書き込んでおく。また、本発明の所定の処理の実行を指示する入力を行うための入力手段は、本実施の形態の入力部４で構成できる。
【００５７】
そして、オペレータが、例えば、図６に示すカット画像リストを表示させ、所望のカット画像をマウスでクリックし選択すると同時に表示されたメニューから印刷処理を選択すると、入力受付手段２３は、その選択の入力を受け、管理手段２１に印刷処理実行の指示を送り、この指示を受けて、フレーム抽出手段２５に対象のカット画像を送り、フレーム抽出手段２５は、そのカット画像の処理フレームタグを検索して処理フレームを抽出する（Ｓ３０２）。そして、抽出した処理フレームを印刷する（Ｓ３０２）。言うまでもないが、他の出力処理についても所望のカット画像の選択と処理の選択により、同様に処理を行うことができる。
【００５８】
また、処理フレームに対し出力処理を実行する入力については、パネル４１にその出力処理を実行するための入力ボタンを設けて、パネル４１から入力することも可能である。
【００５９】
また、複数種類の処理フレームタグ、例えば、印刷処理フレームタグやメディア転送処理フレームタグ等を、それぞれ対象のフレームに付加するようにしてもよい。そのようにすれば、所望のカット画像の選択と処理の選択かなされたら、選択された処理に応じた処理フレームタグを検索して、選択された処理に応じた処理フレームを抽出して、その抽出されたフレームに対して、選択された処理を行うようにすることができる。例えば、パネル４１に印刷処理フレームボタン（図示せず）やメディア転送処理フレームボタン（図示せず）など備えることにより、それぞれのタグを付加するようにできる。
【００６０】
また、処理フレームタグについて行う処理は、例えば、例えば処理フレームタグが付加された前後のフレームの表示速度を変えることや、処理フレームの種類によって表示速度を変えることなど、上述の出力処理に限られるものではない。また、上述の不要フレームタグに基づくフレームの削除も、このような処理の一部と言ってもよい。
【図面の簡単な説明】
【００６１】
【図１】本発明に係る一実施の形態としてのＸ線診断システムの構成を示す機能ブロック図である。
【図２】本発明に係るカット画像の構成を示す図である。
【図３】図１に示すＸ線診断システムの入力部のパネルの一例を示す図である。
【図４】本発明に係るＸ線診断システムの動作の一例を表すフローチャートである。
【図５】本発明に係るＸ線診断システムの動作の一例を表すフローチャートである。
【図６】Ｘ線診断システムにおいて表示するカット画像リストの一例を示す図である。
【図７】本発明に係るＸ線診断システムの動作の一例を表すフローチャートである。
【符号の説明】
【００６２】
１  撮影部
１１  Ｘ線ＴＶカメラ
１２  Ｘ線管
１３  イメージングインテンシファイア
２  制御部
２１  管理手段
２２  タグ付加手段
２３  入力受付手段
２４  再生手段
２５  フレーム抽出手段
３  記憶部
３１  不要カット格納シリーズ
３２  通常シリーズ
４  入力部
４１  パネル
５  表示手段
６  処理部
６１  印刷処理部
６２  メディア転送処理部
６３  送信処理部
【図１】
2006167087.tif 000003
【図２】
2006167087.tif 000004
【図３】
2006167087.tif 000005
【図４】
2006167087.tif 000006
【図５】
2006167087.tif 000007
【図６】
2006167087.tif 000008
【図７】
2006167087.tif 000009